(57)【要約】【課題】バッグの大きさや構造の制約が小さく、汎用性があり、構造が簡易で、安価に得られるバッグ用カバーシートを提供する。【解決手段】カバーシート１は、ほぼ長方形状の柔軟な素材で構成されるシート部材２と、このシート部材２の側縁２１ａ・２２ａ，２１ｂ・２２ｂに逢着されるオープンファスナ３，４と、シート部材２の裾部を弾性的に収縮させる伸縮部５とを具備する。カバーシート１は、オープンファスナ３，４により結合されたシート部材の両半部２１，２２でバック３１を包囲し、両半部２１，２２の非結合の開口６からバッグ３１の提げ手３２を延出させるようにバッグ３１に装着される。【選択図】図３
2011083533.tif 000002
【特許請求の範囲】
【請求項１】
取手、肩紐のような輪をなす提げ手を有するバッグの上方開放部を覆うカバーシートであって、
ほぼ長方形状の柔軟な素材で構成され、展開状態で長手方向に提げ手の輪を通してバッグの上部を前後に跨ぐようにバッグに装着されたときに、バッグの前後側面に沿ってそれぞれ垂れ下がる第1及び第２の半部を有するシート部材と、
このシート部材の前記第1及び第２の半部を折り重ねた状態で、左右側縁同士を結合して下方に開放する袋体を形成できるように、下端部からシート部材の長手方向中央付近の上端部まで左右側縁に沿って逢着される一対のオープンファスナと、
前記両半部の裾部に、当該裾部をシート部材の短尺方向に予め収縮させるように設けられる伸縮部とを具備し、
前記オープンファスナは、展開状態でバッグに装着された前記シート部材の両半部の左右側縁同士を下端部から所望の停止位置まで結合すると共に、停止位置から上端部まで非結合の開口を形成することができるスライダを具備し、
前記オープンファスナにより結合された前記シート部材の両半部でバックを包囲し、両半部の非結合の開口からバッグの提げ手を延出させるようにしたことを特徴とする提げ手付きバッグ用カバーシート。
【請求項２】
前記シート部材は、その一部に網部を具備することを特徴とする請求項１に記載の提げ手付きバッグ用カバーシート。
【請求項３】
前記網部は、前記シート部材の一方の半部の上方部分に設けられることを特徴とする請求項１に記載の提げ手付きバッグ用カバーシート。
【発明の詳細な説明】
【技術分野】
【０００１】
この発明は、取手や肩紐のような輪をなす提げ手を有するバッグの上方開放部を覆うカバーシートに関する。
【背景技術】
【０００２】
提げ手を有するバッグ、特に、犬、猫等の小動物を収容して運搬するのに適したバッグの上方開放部を覆うカバーとして、特許文献１に記載されたものが知られている。このカバーは、バッグの提げ手取り付け部に対応する位置に設けられたスリット、及び提げ手の間を通りバッグの上部をまたがってスリットを覆う帯を有するものである。
【先行技術文献】
【特許文献】
【０００３】
【特許文献１】特開２００９−１７８４４５号公報
【発明の概要】
【発明が解決しようとする課題】
【０００４】
上記従来のバッグ用カバーは、その構造上、装着できるバッグの各部の大きさや構造が大きく制限される。
したがって、この出願に係る発明は、装着できるバッグの大きさや構造の制約が小さく、汎用性があり、構造が簡易で、安価に得られるバッグ用カバーを提供することを目的としている。
【課題を解決するための手段】
【０００５】
以下、添付図面の符号を参照して説明するが、本発明はこれに限定されるものではない。
上記課題を解決するための、この出願に係る発明のカバーシート１は、ほぼ長方形状の柔軟な素材で構成されるシート部材２と、このシート部材２の側縁２１ａ・２２ａ，２１ｂ・２２ｂに逢着されるオープンファスナ３，４と、シート部材２の裾部を弾性的に収縮させる伸縮部５とを具備する。カバーシート１は、展開状態で長手方向に提げ手３２の輪を通してバッグ３１の上部を前後に跨ぐようにバッグ３１に装着することができる。カバーシート１は、装着時に、第1及び第２の半部２１，２２が、バッグの前後側面に沿ってそれぞれ垂れ下がる構造である。オープンファスナ３，４は、シート部材２の第1及び第２の半部２１，２２を折り重ねた状態で、左右側縁同士２１ａ・２２ａ，２１ｂ・２２ｂを結合して下方に開放する袋体を形成できるように、下端部からシート部材の長手方向中央付近の上端部まで、左右側縁に沿って逢着される。伸縮部５は、両半部２１，２２の裾部に、当該裾部をシート部材２の短尺方向に予め収縮させるように設けられる。オープンファスナ３，４のスライダ３ａ，４ａは、バッグ３１に装着された展開状態のシート部材２の両半部の左右側縁同士２１ａ・２２ａ，２１ｂ・２２ｂを下端部から所望の停止位置まで結合すると共に、停止位置から上端部まで非結合の開口６を形成することができる。このカバーシート１は、オープンファスナ３，４により結合されたシート部材の両半部２１，２２でバック３１を包囲し、両半部２１，２２の非結合の開口６からバッグ３１の提げ手３２を延出させるようにバッグ３１に装着される。
【発明の効果】
【０００６】
この出願に係る発明のカバーシート１によれば、構造が単純で、バッグ３１に対して比較的自由に部分的、あるいは全体的に位置をずらすことができるので、取手や肩紐のような輪をなす提げ手３２を有するバッグ３１であれば、その大きさや形状にかかわらず比較的広く適用でき、構造が簡単で比較的安価に得られると共に、コンパクトに折りたたんで携行することができる。
シート部材２の一部に網部２１ｃを具備させれば、犬や猫のようなペットを入れて運搬するときに、例えば、常時は網部２１ｃをバッグ３１の側面部分に配置してバッグ３１の内外から見透せないようにしておき、必要に応じて適宜その位置をバッグの上部開放部に配置することにより、ペットから外が見えるようにして、ペットに安心感を与えることができる。また、網部２１ｃの有無にかかわらず、裾の伸縮部５を延ばすようにして、下縁部を上部開放部までたくし上げることにより、バッグの中の様子を確認し、また、ペットが顔を出せるように容易に調整することができる。
【図面の簡単な説明】
【０００７】
【図１】本発明に係るカバーシートとこれを適用するバッグの斜視図である。
【図２】本発明に係るカバーシートをバッグに装着する過程の斜視図である。
【図３】本発明に係るカバーシートをバッグに装着した状態の斜視図である。
【図４】本発明に係るカバーシートをバッグに装着した状態の正面図である。
【図５】本発明に係るカバーシートをバッグに装着した状態の側面図である。
【図６】本発明に係るカバーシートの展開状態の平面図である。
【発明を実施するための形態】
【０００８】
図面を参照してこの発明の実施の形態を説明する。
図１に示すように、カバーシート１を適用するバッグ３１は、取手や肩紐のような輪をなす提げ手３２を具備し、上方に開放部３３を有する。
【０００９】
カバーシート１は、ほぼ長方形状の柔軟な素材で構成されるシート部材２と、このシート部材２の側縁に逢着されるオープンファスナ３，４と、シート部材２の裾部を弾性的に収縮させる伸縮部５とを具備する。
【００１０】
図１，２に示すように、カバーシート１は、展開状態で長手方向に提げ手３２の輪を通してバッグ３１の上部を前後に跨ぐようにバッグ３１に装着される。カバーシート１は、装着時に、第1及び第２の半部２１，２２が、バッグ３１の前後の側面３４，３５に沿ってそれぞれ垂れ下がる構造である。
【００１１】
オープンファスナ３，４は、シート部材２の第1及び第２の半部２１，２２を長手方向の中央線Sで折り重ねた状態で、左右の側縁同士２１ａ・２２ａ，２１ｂ・２２ｂを結合して下方に開放する袋体を形成できるように設けられる。すなわち、オープンファスナ３，４は、各半部２１，２２の左右側縁２１ａ，２１ｂ，２２ａ，２２ｂの下端部からシート部材の中央線S付近である上端部まで、左右側縁に沿って逢着される。オープンファスナのスライダ３ａ、４ａは、図３、図５に示すように、バッグ３１に装着されたシート部材２の両半部の左右側縁２１ａ・２２ａ，２１ｂ・２２ｂ同士を下端部から所望の停止位置まで結合すると共に、停止位置から上端部まで非結合の開口６を形成することができる。
【００１２】
しかして、カバーシート１は、オープンファスナ３，４により結合されたシート部材２の両半部２１，２２でバック３１を包囲し、側縁２１ａ・２２ａ，２１ｂ・２２ｂの非結合の開口６からバッグの提げ手３２を延出させるようにバッグに装着される。
【００１３】
伸縮部５は、両半部２１，２２の裾部をシート部材２の短尺方向に予め収縮させるように、ゴムバンド等を挿入して設けられる。カバーシート１をバッグ３１へ装着した状態において、図３ないし図５に示すように、両半部２１，２２の伸縮部５が環状に連続し、バッグ３１を包むように裾部を締め付ける。伸縮部５を伸ばして裾部をたくし上げれば、バッグ３１の上部開放部３３を部分的に開くことができる。
【００１４】
シート部材２は、織物で構成することができ、その一部に網部２１ｃを具備することができる。図示の実施形態において、網部２１ｃは、シート部材２の一方の半部２１の上方のほぼ半分を占めるように設けられる。
【００１５】
この出願に係る発明のカバーシート１は、バッグ３１内に荷物や犬・猫のような小動物を入れて、上部開放部３３を覆うように装着される。このようにすれば、バッグ３１内の荷物を他人の目に触れないようにすることができるし、犬・猫のような小動物を入れて電車で運搬することができる。バッグ３１は、ペット専用のものでなくても、カバーシート１を装着することにより、ペット運搬の用途に用いることができる。構造が単純で、バッグ３１に対して係合している部分が少ないので、比較的自由に部分的、あるいは全体的に位置をずらすことができる。すなわち、例えば、カバーシート１は、開放部６を通る提げ手に対して、その周りに当該開放部６を相対回転させるようにして、バッグ３１に対するカバーシート１の相対位置をずらすことができる。例えば裾の伸縮部５を延ばすようにして、下縁部を上部開放部３３までたくし上げ、バッグ３１の中の様子を確認したり、ペットが顔を出せるようにしたり、容易に調整することができる。また、シート部材２の一部に網部２１ｃを具備する場合には、常時は網部２１ｃをバッグ３１の側面部分に配置してバッグ３１の内外から見透せないようにしておき、必要に応じてその位置をバッグ３１の上部開放部３３にずらすことにより、ペットから外が見えるようにして、ペットに安心感を与えることができる。
【符号の説明】
【００１６】
１    カバーシート
２    シート部材
３    オープンファスナ
３ａ  スライダ
４    オープンファスナ
４ａ  スライダ
５    伸縮部
６    開口
２１  第１の半部
２１ｃ  網部
２２  第２の半部
３１  バッグ
３２  提げ手
３３  上部開放部
【図１】
2011083533.tif 000003
【図２】
2011083533.tif 000004
【図３】
2011083533.tif 000005
【図４】
2011083533.tif 000006
【図５】
2011083533.tif 000007
【図６】
2011083533.tif 000008